Podtech/llm-jp-corpus-v4-ja_patent huggingface dataset:
(57)【要約】【課題】従来のような、帽子と衣服を連結する用途のみのハットキーパーを改造し、ハットキーパーの機能に加え、ダイエット効果や健康促進効果を生むイヤリング、そして装飾品としてのイヤリングにも使用できるようにする。【解決手段】耳のツボを刺激するリングと、ハットキーパー用のクリップを連結し、ハットキーパーとして使用し、さらにクリップを他の交換部品と交換して、リングと交換部品を連結させることにより、装飾用のイヤリングとしても使用可能にし、３つの機能を備えるようにした。【選択図】図９
2008086373.tif 000002
【特許請求の範囲】
【請求項１】
耳のツボを刺激するためのリングを、帽子をはさむクリップ、および他の交換部品と連結し、帽子が風に飛ばされるのを防ぐハットキーパーとして使用するとともに、装飾品としても使用可能にしたイヤリング
【発明の詳細な説明】
【技術分野】
【０００１】
本発明は、耳のツボを刺激するリングによってダイエットまたは健康の増進に役立て、これを帽子をはさむクリップと連結して、帽子を風で飛ばされないようにつなぎ止めるハットキーパーとして使用し、さらに連結部分に他の交換部品を着脱させることにより装飾用にも使用できるようにしたイヤリングである。
【背景技術】
【０００２】
従来のハットキーパーは、単に鎖の両端にクリップを取り付け、帽子と衣服を連結させるものであり、帽子が風で飛ばされるのを防ぐ以外に使用の目的も効果もなかった。
【非特許文献１】清水蓮著  耳針療法の実際  たにぐち書店
【発明の開示】
【発明が解決しようとする課題】
【０００３】
従来のハットキーパーに、ダイエット、健康増進、装飾の機能を加えるものである。
【発明の効果】
【０００４】
本発明は、耳のツボを刺激してダイエット効果や健康促進効果を生むリングと、帽子をとめるクリップを連結し、ハットキーパーとして使用し、またクリップを他の交換部品と交換することにより装飾用イヤリングとしても使用し、３つの機能を備えるようにしたものである。
【実施例１】
【０００５】
図１は、本発明品の全体図である。１は耳にとりつけるリング本体で、回転板３を開閉し、調節ネジ４で耳に固定し、耳あて２の部分で耳のツボを刺激する。耳からはずすときは調節ネジ４をゆるめ、図８のごとく回転板３を開く。１３は帽子をとめるクリップ１３を回転ネジ１０によって連結し、着脱可能にする。図２は通常のハットキーパー、あるいはネクタイピンに使用されるものと同じ構造のクリップ１３の断面図で、バネ２１を収納している。
【０００６】
図９はリング１とクリップ１３を連結し、ハットキーパーとして使用するときの図である。
【０００７】
帽子を使用しないときは、回転ネジ１０をはずし、図７のような交換部品２０と交換することにより、図１０のように装飾用イヤリングとしても使用可能になる。
【実施例２】
【０００８】
図３は通常のイヤリング等に使用されているものと同じ構造の回転板３と調節ネジ４で、リング１を耳に取り付け、またははずすための装置である。
【０００９】
図４は、リング１とクリップ１３を連結させるための回転ネジ１０の取り付け部分の断面図である。クリップ１３と鎖１２で連結された軸筒１１に、突起１６をもつ回転ネジ１０を嵌入し、回転可能にする。回転ネジ１０の差込部分１５を、リング１と鎖８で連結させた差込部９に差し込むことにより、リング１とクリップ１３を連結する。図５は回転ネジ１０の斜視図であり、図６は回転ネジ１０と合体した軸筒１１および差込部９の斜視図である。
【００１０】
この発明により、耳のツボを刺激する用具、帽子をつなぎとめるハットキーパー、装飾品という３つの機能を兼ね供えた用具として使用することができる。
【図面の簡単な説明】
【００１１】
【図１】ダイエットイヤリングの全体を示した図
【図２】クリップの断面図
【図３】リングを着脱するための回転板の部分の斜視図
【図４】クリップと本体を接続する部分の断面図
【図５】クリップと本体を接続する部分の回転ネジの斜視図
【図６】クリップと本体を接続する部分の斜視図
【図７】クリップと本体を接続する部分の交換部品の図
【図８】リングの本体を耳からはずした状態を示す図
【図９】ダイエットイヤリングの使用図（実施例１）
【図１０】本体に交換部品を取りつけた図（実施例２）
【符号の説明】
【００１２】
１    リング本体
２    耳あて
３    回転板
４    調節ネジ
５    板状バネ
６    軸芯
７    鎖穴
８    鎖
９    差込部
１０  回転ネジ
１１  軸筒
１２  鎖
１３  クリップ
１４  軸芯
１５  差込ネジ
１６  突起
１７  中空部
１８  鎖穴
１９  鎖穴
２０  交換部品
２１  バネ
２２  バネ収納部
【図１】
2008086373.tif 000003
【図２】
2008086373.tif 000004
【図３】
2008086373.tif 000005
【図４】
2008086373.tif 000006
【図５】
2008086373.tif 000007
【図６】
2008086373.tif 000008
【図７】
2008086373.tif 000009
【図８】
2008086373.tif 000010
【図９】
2008086373.tif 000011
【図１０】
2008086373.tif 000012
(57)【要約】【課題】当該分野における従来の課題を解決するための方法の提供。【解決手段】標的遺伝子座における標的遺伝子の野生型のまたは修飾された哺乳動物タンパク質を製造する方法であって、前記方法は、増幅可能な領域の多数のコピーを含んでなる二次哺乳動物発現宿主細胞を増殖させ、ここで前記増殖可能な領域は前記二次発現宿主に対して異種の標的遺伝子を含んでなり、そして問題のタンパク質および増幅可能な遺伝子を発現させるものであり、これにより前記標的遺伝子が発現されそして前記タンパク質は生産されることなどを含んでなり、その他本願明細書に記載されるような特徴を有する方法。【選択図】なし【特許請求の範囲】
【請求項１】
本明細書に記載されるような、ゲノム性要素を使用する遺伝子の操作および発現。
【発明の詳細な説明】
【技術分野】
【０００１】
【数１−２】
2008086326.tif 000002
【背景技術】
【０００２】
【数１−３】
2008086326.tif 000003
【０００３】
【数２】
2008086326.tif 000004
【０００４】
【数３−１】
2008086326.tif 000005
【発明の開示】
【課題を解決するための手段】
【０００５】
【数４３】
2008086326.tif 000006
【０００６】
【数４４】
2008086326.tif 000007
【０００７】
【数４５】
2008086326.tif 000008
【０００８】
【数３−２】
2008086326.tif 000009
【０００９】
【数４】
2008086326.tif 000010
【００１０】
【数５】
2008086326.tif 000011
【００１１】
【数６】
2008086326.tif 000012
【００１２】
【数７】
2008086326.tif 000013
【００１３】
【数８】
2008086326.tif 000014
【００１４】
【数９】
2008086326.tif 000015
【００１５】
【数１０】
2008086326.tif 000016
【００１６】
【数１１】
2008086326.tif 000017
【００１７】
【数１２】
2008086326.tif 000018
【００１８】
【数１３】
2008086326.tif 000019
【００１９】
【数１４】
2008086326.tif 000020
【００２０】
【数１５】
2008086326.tif 000021
【００２１】
【数１６】
2008086326.tif 000022
【００２２】
【数１７】
2008086326.tif 000023
【００２３】
【数１８】
2008086326.tif 000024
【００２４】
【数１９】
2008086326.tif 000025
【００２５】
【数２０】
2008086326.tif 000026
【００２６】
【数２１】
2008086326.tif 000027
【００２７】
【数２２】
2008086326.tif 000028
【００２８】
【数２３】
2008086326.tif 000029
【００２９】
【数２４】
2008086326.tif 000030
【００３０】
【数２５】
2008086326.tif 000031
【００３１】
【数２６】
2008086326.tif 000032
【００３２】
【数２７】
2008086326.tif 000033
【００３３】
【数２８】
2008086326.tif 000034
【００３４】
【数２９】
2008086326.tif 000035
【００３５】
【数３０】
2008086326.tif 000036
【００３６】
【数３１】
2008086326.tif 000037
【００３７】
【数３２】
2008086326.tif 000038
【００３８】
【数３３】
2008086326.tif 000039
【００３９】
【数３４】
2008086326.tif 000040
【００４０】
【数３５】
2008086326.tif 000041
【００４１】
【数３６】
2008086326.tif 000042
【００４２】
【数３７】
2008086326.tif 000043
【００４３】
【数３８】
2008086326.tif 000044
【００４４】
【数３９】
2008086326.tif 000045
【００４５】
【数４０】
2008086326.tif 000046
【００４６】
【数４１】
2008086326.tif 000047
【００４７】
【数４２】
2008086326.tif 000048
(57)【要約】【課題】主に玄関、勝手口、風呂場、ベランダ等で使用する履物に関し、置く際の占有面積を少なくする工夫を施した履物を提供する。【解決手段】履物の踵部分の後端面を平面状に作り、かつ底部と後端面との角度をほぼ直角にすることにより、自立することを特徴とした履物。【選択図】図３
2008086725.tif 000002
【特許請求の範囲】
【請求項１】
履物の踵部分の後端面を平面状に作り、かつ底部と後端面との角度をほぼ直角にすることにより、自立することを特徴とした履物。
【発明の詳細な説明】
【技術分野】
【０００１】  本発明は履物を置く際の占有面積を少なくする工夫を施した自立式履物に関するものである。
【背景技術】
【０００２】  通常、出入り口等に履物を脱いで置く時、履物の底部を下にして置く場合がほとんどである。
【発明の開示】
【発明が解決しようとする課題】
【０００３】  そのために次のような問題点があった。
玄関や勝手口などの場所に複数の履物が置かれていると、場所をとり通行の妨げになっていた。
また、風呂場で浴槽の掃除に用いる履物も同様に場所をとり、入浴時には邪魔である。
また、ベランダ等で用いる履物も、雨やほこりで汚れやすいという問題点があった。
本発明は以上のような問題を解決するためになされたものである。
【課題を解決するための手段】
【０００４】  履物の踵部分の後端面を平面状に作り、かつ底部と後端面との角度をほぼ直角にし、自立することを特徴とする履物である。
【発明の効果】
【０００５】  履物を自立させて置くことで占有面積が少なくなり、出入り口の整理整頓に貢献する。
また屋外に置く場合でも、ほこりが付きにくく、濡れても乾きやすい。
【発明を実施するための最良の形態】
【０００６】  以下、本発明の実施の形態について、自立式サンダルを例にあげて説明する。
サンダルの踵部分（１）の後端面（２）を平面状、又は後端面の中央（３）より後端面の両端（４）を後ろへ突出させた形状にする。その後端面の幅（５）は約５〜８センチメートルとし、厚さ（６）は約３〜５センチメートルとする。かつ、履物の底部（７）と後端面（２）との角度をほぼ直角にする。角度はサンダルの本体（８）と甲部覆い（９）との重さや大きさのバランスによって微調整する。この構造によって、サンダルを立てた際の前後、左右への転倒を防止することが出来る。
本発明を使用するとき（脱いで置く時）は、つま先（１０）を上に、後端面（２）を床面に接地するように置く。すると、後端面の形状ゆえに履物は自立し倒れることがない。
履物を脱いで置くとき、本発明品のように立てて置く際の床の占有面積は、通常の底を下にして置く方法の約三分の一になる。
本発明品を用いれば、玄関や勝手口の混雑は整理され、風呂場やベランダ等での履物の使い勝手も良くなる。
また、便利に整理できる機能の他に、自立している履物全体を人や動物などの様々な物の形に模すことも出来る。この際は、自立する左右それぞれの履物の上部（１１）を頭にたとえ、中間部（１２）を胴体にたとえ、下部（１３）を足に例えたデザインとする。
このことによって、占有面積を少なくする工夫を施した履物としての機能に加え、観賞の対象としての機能も兼ねて持たせることが出来、見て楽しく、使っても便利な道具とすることが出来る。（図４参照）
本発明の踵の後端面（２）の形状を平面にせず、底部（７）と後端面（２）との角度をほぼ直角にし、前後への転倒のみを防止し、履物の甲部覆い（９）の内側面（１４）に左右をつなぐ部品（１５）を設け、左右の履物を連結することにより左右への転倒を防止する方法もある。（図５参照）
本発明品のつま先部分の形状（１６）を、踵の後端面（２）と同様に平面状にすることで、つま先側を下にして立てておく方法をとることも出来る。（図６参照）
【図面の簡単な説明】
【０００７】
【図１】  本発明の斜視図
【図２】  本発明の側面図
【図３】  本発明の斜視図
【図４】  本発明の正面図及び側面図
【図５】  本発明の斜視図
【図６】  本発明の斜視図
【図７】  本発明の使用状態を示す斜視図
【図８】  本発明の使用状態を示す斜視図
【符号の説明】
【０００８】  １    踵部分
２    後端面
３    中央
４    両端
５    幅
６    厚さ
７    底部
８    本体
９    甲部覆い
１０  つま先
１１  上部
１２  中間部
１３  下部
１４  内側面
１５  左右をつなぐ部品
１６  つま先部分の形状
【図１】
2008086725.tif 000003
【図２】
2008086725.tif 000004
【図３】
2008086725.tif 000005
【図４】
2008086725.tif 000006
【図５】
2008086725.tif 000007
【図６】
2008086725.tif 000008
【図７】
2008086725.tif 000009
【図８】
2008086725.tif 000010
(57)【要約】【課題】  壁掛け式の陳列ケースであって、特に鉄道模型などのホビーを整理し陳列する壁掛式着脱棚付陳列ケースを提供する。【解決手段】陳列ケースの開口部に陳列棚を設け、陳列棚を着脱可能にし、装飾品を整理し陳列することを特徴とする壁掛式着脱棚付陳列ケース。【選択図】図１
2008086731.tif 000002
【特許請求の範囲】
【請求項１】
陳列ケースの開口部に陳列棚を設け陳列棚を着脱可能にし、整理陳列することを特徴とする壁掛式着脱棚付陳列ケース。
【発明の詳細な説明】
【技術分野】
【０００１】  本発明、壁掛け式の陳列ケースであって、特に鉄道模型などのホビーを整理し陳列する壁掛式着脱棚付陳列ケースに関するものである。
【背景技術】
【０００２】  従来、陳列ケースは奥行きが広く、奥に陳列した装飾品が手前の装飾品に隠れ見づらかった。陳列棚をひな壇式にしていたが、陳列ケースが大きく広い場所を必要としていた。
【発明の開示】
【発明が解決しようとする課題】
【０００３】  そのために、次のような問題点があった。
（イ）陳列棚に装飾品を陳列する場合、狭いケース内に手を入れ装飾品を奥から順に陳列するので、手間が掛かり難しい陳列作業をしていた。
（ロ）奥の装飾品を交換したり取り出したりする場合、誤って手前の装飾品に手がふれ、倒し壊したりしていた。そのため手前の装飾品を片付けながらの作業をしていた。本発明は以上の問題点を解決しようとするものである。
【課題を解決するための手段】
【０００４】  陳列ケースの開口部に陳列棚を設け、陳列棚を着脱可能にし、装飾品を整理し陳列する。以上を特徴とする、壁掛式着脱棚付陳列ケースである。
【発明の効果】
【０００５】  本発明は、壁掛け式の奥行きが浅いケースなので、ケースの奥に手を入れて陳列する必要がない。ケース内から陳列棚を外し、陳列しやすい場所に移動して、陳列するので、多くの装飾品を短時間で簡単に整理陳列することができる。
【発明の実施するための最良の形態】
【０００６】  以下、本発明の実施の形態を説明する。
（イ）方形状からなる、背板（１ａ）に天板（１ｂ）と側板（１ｃ）と底板（１ｄ）で箱状に囲み、前面の開口部に横長長尺状の陳列棚（１）を形成する。
（ロ）前面開口部に、ガラス戸（７）を設ける。
（ハ）陳列棚（１）の背面に横長長尺状の係止板（２）を垂直に設け前面の背面には、係止板（２）の約半分の高さの透明な横長長尺状の柵板（４）を垂直に設ける。
（ニ）断面が逆Ｌ字形をした支え棚（３）を底板（１ｄ）の上部から、支え棚（３）係止板（２）支え棚（３）の順に係止板（２）の上下先端部分にはさみ合わせ、背板（１ａ）の前面に固定する。
（ホ）支え棚（３）の左右端下部に棚止（５）を取り付ける、棚止（５）の上部に穴をあけ、穴に釘を打ち止め、支点（２ａ）を設け９０°上下に回転する、また棚止（５）の下部には、つまみ（２ｂ）を設ける。
本発明を使用するときは、ガラス戸を開け、支え棚（３）の下部左右端に取り付けてある棚止（５）のつまみ（２ｂ）を９０°回し上げ、背板（１ａ）前面から係止板（２）を放し、支え棚（３）の上に乗った陳列棚（１）を外す、外した陳列棚（１）に装飾品（６）を整理陳列する。陳列の終わった陳列棚（１）を支え棚（３）の上に乗せ係止板（２）を背板（１ａ）前面に合わせ、棚止（５）のつまみ（２ｂ）を９０°回し下げ設置する、ガラス戸（７）を閉める。
【図面の簡単な説明】
【０００７】
【図１】  本発明の斜視図
【図２】  本発明の断面図
【図３】  本発明の分解断面拡大図
【図４】  本発明のつまみ部分の斜視図
【符号の説明】
【０００８】  １    陳列棚
２    係止板
３    支え棚
４    柵板
５    棚止
６    装飾品
７    ガラス戸
１ａ  背板
１ｂ  天板
１ｃ  側板
１ｄ  底板
２ａ  支点
２ｂ  つまみ
【図１】
2008086731.tif 000003
【図２】
2008086731.tif 000004
【図３】
2008086731.tif 000005
【図４】
2008086731.tif 000006
(57)【要約】      （修正有）【課題】座り心地の良いフィット感に優れたクッションスプリングの提供。【解決手段】サイドワイヤー４に、クリップ３で固定される複数の波型主スプリング１と、それに直交する単一または複数のセンタースプリング２を、クリップ３で連結固定して構成するクッションスプリングにおいて、センタースプリング２にコイルスプリングを採用することにより、体重等によってかかる偏荷重および引っ張り応力を、コイルスプリングを用いたセンタースプリングで吸収することが出来るようになっている。【選択図】図１
2008086737.tif 000002
【特許請求の範囲】
【請求項１】
硬鋼線製または、合成樹脂製の波型主スプリングまたは、コイル型主スプリングの複数を、一定の間隔をおいて平行またはランダムに配列し、それらと直交する一本または複数のセンタースプリングと接触する複数の箇所で、クリップを用いて連結固定するクッションスプリングにおいて、センタースプリングが、コイルスプリングであることを特徴とするクッションスプリング。
【請求項２】
請求項１に記載するクッションスプリングにおいて、センタースプリングに使用するコイルスプリングの線径または、コイル径を変えることにより、荷重が加わった際の沈み具合が調整できることを特徴とするクッションスプリング。
【発明の詳細な説明】
【技術分野】
【０００１】この発明は、家具用の椅子やソファーおよびベッド、車両用の座席シート等のクッションスプリングに関する。
【背景技術】
【０００２】従来のクッションスプリングは、図２に示すように、複数の硬鋼線製または合成樹脂製の波型主スプリング１を間隔をおいて平行に配列し、形状安定のため、各波型主スプリング１間を複数の箇所で、波型主スプリング１に直角に配した硬鋼線よりなるセンタースプリング２と連結し、クリップ３により固定する構成となっている。【０００３】この発明に関連する文献公知の発明として、特開平８−２８０４７５号として公報記載のクッションスプリングがある。この発明はクッション性の向上を意図して、Ｓ型メンバースプリングに補強スプリングを連繋させ、一体化させることによりＳ型メンバースプリングの撓みや捻じれを抑え、座り心地の良いクッションスプリングの提供を特徴としている。また、特開２００１−２４５７４５号として公報記載の車・家具等のクッションスプリングがある。この発明は、中張り線に合成樹脂製の弾力性のある直線状の棒体を使い、繰り返し荷重により中張り線がクリップから脱落し、座席等の表被材から突き出す課題の解決を主な特徴としている。
【発明の開示】
【発明が解決しようとする課題】
【０００４】前記文献は、Ｓ型メンバースプリングに補強スプリングを連繋させ、一体化させることによりＳ型メンバースプリングの撓みや捻じれを抑える効果はあるものの、Ｓ型メンバースプリングと一体化することにより、全体的な剛性が増す課題がある。またもう一方の文献は、中張り線に合成樹脂製の弾力性のある直線状の棒体を使うことにより、繰り返し荷重により中張り線がクリップから脱落し、座席等の表被材から突き出す課題の解決には有効であるが、中張り線に合成樹脂製の棒体を使うことによる、引張り応力や疲労劣化に対して課題がある。【０００５】従来のクッションスプリングは、センタースプリング２に形状安定を目的として、剛性の高い硬鋼線を使用しているために、座席や背もたれに体重がかかると、クッションスプリングは、体で押された部分だけでなく全体的に沈むことから、座席や背もたれに体を包み込むようなフィット感がない。【０００６】従来のクッションスプリングは、センタースプリング２に剛性の高い硬鋼線を使用しているために、それ自体に伸縮性がなく、荷重が加わった時に偏荷重により、波型主スプリング１間の間隔が広がろうとすると、クリップ３に大きな引っ張り応力がかかり、繰り返し応力でクリップ３が破損し、センタースプリング２が脱落することがあった。
【課題を解決するための手段】
【０００７】この発明のクッションスプリングは、硬鋼線製または合成樹脂製の波型主スプリング１を間隔をおいて平行またはランダムに配列して、各波型主スプリング１に直交させた１つまたはそれ以上の金属または、合成樹脂製のコイルスプリングよりなる、センタースプリング２と、連結固定するクリップ３により構成される。【０００８】センタースプリングに使用するコイルスプリングの線径または、コイル径を変えることにより、荷重が加わった際の沈み具合が調整できるようにする。
【発明の効果】
【０００９】この発明は、センタースプリング２にコイルスプリングを用い、荷重のかかり具合に応じた沈み込みを可能にして、体が包まれる好ましいフイット感を提供する。また、コイルスプリングに使用する線径または、コイル径を変えることにより、フィット感および沈み具合の調整が可能になる。【００１０】この発明は、センタースプリング２にコイルスプリングを用いることにより、センタースプリング２自体が伸縮性を持ち、その自己復元機能により、荷重が加わった時の偏荷重を吸収し、クリップの破損を防止できる。【００１１】この発明によるクッションスプリングは、センタースプリングにコイルスプリングを用いることにより、波型主スプリング１の代わりに、複数のコイルスプリングを用いても、同様の効果が期待できる。
【実施例１】
【００１２】以下に、家具用椅子のクッションスプリングに用いたこの発明の実施例を、図１および図３にて説明する。図１および図３において、１は硬鋼線製波型主スプリング、２はセンタースプリング、３はクリップ、４はサイドワイヤーを示す。
クッションスプリングは、径４ｍｍの硬鋼線で、全長５０ｃｍのアーチ形状に加工された波型主スプリング１を、８０ｍｍの間隔で平行に配置し、それぞれの波型主スプリング１の両端を、径３．２ｍｍのサイドワイヤー４とクリップ３で計８箇所固定し、アーチ形状の頂点部に、線径１ｍｍでコイル径５ｍｍ、全長４０ｃｍのコイルスプリングからなるセンタースプリング２を、波型主スプリング１と直交する形で配置し、クリップ３で波型主スプリング１と計４箇所で連結固定する構造とした。【００１３】このクッションスプリングに体重等の荷重がかかると、図３に示すように荷重は波型主スプリング１で受け止められ、クッションスプリング全体に分散される。この時それぞれのクッションスプリングには、荷重点からの距離や荷重応力の方向等により、それぞれの波型主スプリング１には、異なる偏荷重がかかることになる。【００１４】この偏荷重は、波型主スプリング１に捻じれ応力を与え、連結固定されているセンタースプリングに大きな引張り応力を与える。【００１５】しかしながら本発明のセンタースプリングは、コイルスプリングで構成されているので、自身の伸縮性能により、かかった荷重の大きさに比例して伸びる。これによりクッションスプリングは、荷重が大きいほど深く沈み込むこととなり、体が包まれるようなフィット感を持つ家具用椅子の提供を可能にした。
【図面の簡単な説明】
【図１】この発明によるクッションスプリングの平面図
【図２】従来の技術によるクッションスプリングの平面図
【図３】荷重の分散図
【符号の説明】
１  波型主スプリング
２  センタースプリング
３  クリップ
４  サイドワイヤー
【図１】
2008086737.tif 000003
【図２】
2008086737.tif 000004
【図３】
2008086737.tif 000005
(57)【要約】【目的】宝石をキャッチに使用することにより多種類のキャッチが製作でき、安価で供給できる。【構成】宝石に穴を開けその穴にゴムの部品を取り付ける。【選択図】図３
2008086735.tif 000002
【特許請求の範囲】
【請求項１】
宝石に穴を開け、その穴にゴムの部品を取り付ける。
【請求項２】
ゴムの部品にピアスのピンを刺して留める事ができ又、外す事ができる穴を開ける。
【請求項３】
宝石に開ける穴は貫通穴もしくは、半穴にする。
【発明の詳細な説明】
【発明の詳細な説明】
【技術分野】
【０００１】    本発明は宝石に穴を開けその穴にピアスのピンが留まる様した穴の開いたゴムの部品を取りつけたピアス用キャッチであります。
【背景技術】
【０００２】  従来、ピアスのキャッチは素材として金属、ゴムの中に金属、ゴムなどで製作されています。宝石にゴムを取り付けたキャッチは存在しない。
【発明を実施するための最良の形態】
【０００３】  １）宝石に穴を開ける。（図１）（図２）
２）穴の開いたゴムの部品を作る。（図６，図７，図８，図９）
３）宝石の穴にゴムの部品を取り付ける。（図３）
４）ピアスのピンをゴムの穴に刺す。（図４、図５）
【発明の効果】
【０００４】  このようにすると多数の種類のキャッチができ、安価に製品を供給できる。
【図１】
2008086735.tif 000003
【図２】
2008086735.tif 000004
【図３】
2008086735.tif 000005
【図４】
2008086735.tif 000006
【図５】
2008086735.tif 000007
【図６】
2008086735.tif 000008
【図７】
2008086735.tif 000009
【図８】
2008086735.tif 000010
【図９】
2008086735.tif 000011
【手続補正書】
【提出日】平成18年12月2日(2006.12.2)
【手続補正１】
【補正対象書類名】明細書
【補正対象項目名】全文
【補正方法】変更
【補正の内容】
【発明の詳細な説明】
【技術分野】
【０００１】    本発明は宝石に穴を開けその穴にピアスのピンが留まる様した穴の開いたゴムの部品を取りつけたピアス用キャッチであります。
【背景技術】
【０００２】  従来、ピアスのキャッチは素材として金属、ゴムの中に金属、ゴムなどで製作されています。宝石にゴムを取り付けたキャッチは存在しない。
【発明を実施するための最良の形態】
【０００３】  １）宝石に穴を開ける。（図１）（図２）
２）穴の開いたゴムの部品を作る。（図６，図７，図８，図９）
３）宝石の穴にゴムの部品を取り付ける。（図３）
４）ピアスのピンをゴムの穴に刺す。（図４、図５）
【発明の効果】
【０００４】  このようにすると多数の種類のキャッチができ、安価に製品を供給できる。
【図面の簡単な説明】
【０００５】
【図１】穴を開けた宝石の断面を示す図
【図２】穴を開けた宝石の上面を示す図
【図３】穴を開けた宝石にゴムの部品を取り付けた断面を示す図
【図４】貫通穴を開けた宝石のキャッチにピアスを刺した断面を示す図
【図５】半穴を開けた宝石のキャッチにピアスを刺した断面を示す図
【図６】ゴムの部品の側面を示す図
【図７】ゴムの部品の上面を示す図
【図８】ゴムの部品の下面を示す図
【図９】ゴムの部品の断面を示す図
【符号の説明】
１  ゴム
２  宝石
３  穴
４  ピアスのピン
５  ピアスとキャッチで挟む物
(57)【要約】【課題】  キーホールダー、携帯電話などに付けるマスコットとして、単純同一の外観をもちながら、指で頭を押すと各人形ごとに固有の腕の動きをし、音楽に合わせてリズム遊びを楽しんだり、お年寄りやリハビリ時の手指の運動を楽しくしたりする、リズム遊びマスコット人形群を提供する。【解決手段】上半身と、該上半身内を摺動するように取り付けられた下半身、ならびに前記上半身に対して回転するように取り付けられた両腕に連結し、上半身を上下に動かすことにより両腕を動かすことができる動作手段より構成されるマスコット人形。【選択図】図１
2008086732.tif 000002
【特許請求の範囲】
【請求項１】
上半身と、該上半身内に摺動するように取り付けられた下半身、ならびに前記上半身に対して回転するように取り付けられた両腕に連結し、上半身を上下に動かすことにより両腕を動かすことができる動作伝達手段より構成されるマスコット人形。
【発明の詳細な説明】
【技術分野】
【０００１】  本発明は、キーホールダー、携帯電話などに付けるマスコットとして、単純同一の外観をもちながら、指で頭を押すと各人形ごとに固有の腕の動きをし、音楽に合わせてリズム遊びを楽しんだり、お年寄りやリハビリ時の手指の運動を楽しくしたりする、リズム遊びマスコット人形群に関するものである。
【背景技術】
【０００２】  従来、キーホールダー、携帯電話などに付けるマスコットは、有名キャラクター、タレントなどをテーマに、外観、デザインのみに重点がおかれ、指を使って動きを楽しむことに重点を置いたものは少ない。
【発明が解決しようとする課題】
【０００３】    そのために、次のような問題点があった。
（イ）指を使って動きを楽しむことができない。
（ロ）高額な版権料のためコスト高になる。
【課題を解決するための手段】
【０００４】  上半身と、該上半身内を摺動するように取り付けられた下半身、ならびに前記上半身に対して回転するように取り付けられた両腕に連結し、上半身を上下に動かすことにより両腕を動かすことができる動作手段より構成されるマスコット人形である。
【発明の効果】
【０００５】  本発明は、頭を指で押すと人形ごとに固有の腕の動きをし、音楽に合わせてリズム遊びを楽しむことができ、キーホールダーや携帯電話等に付けるマスコットとしても使用できる。またお年寄りやリハビリ時の手指の運動がを楽しくなるものである。
外観を単純同一化することは各人形間の動きの違いを際立たせることになり、さらには版権料コストの節減が可能になる。
【発明を実施するための最良の形態】
【０００６】  以下本発明の第一の実施の形態を説明する。
（イ）上半身（１）に、ラックギア（３）の付いた下半身（２）が、上半身（１）の内部を摺動するように取り付けられている。
（ロ）上半身（１）にはラックギア（３）にかみ合うギア（４）が設けられている。
（ハ）ギア（４）の中心には軸（５）が挿入されており、軸（５）の両端には両腕（６）が取り付けられている。
（ニ）上半身（１）の内部には、上半身（１）が下方へ摺動した後、元の位置に復帰させるためのバネ（７）が設けられている。
本発明は、以上の構成よりなっている、
本発明を使用するときは、指で頭部（８）を押すと、上半身（１）はバネ（７）を圧縮しながら下半身（２）の外側を下方に移動する。この時下半身（２）に付けられたラックギア（３）は、両腕（６）の軸（５）に付けられたギア（４）を回転させ、両腕（６）を前方に振り上げる。手を離すとバネ（７）の復元力により上半身（１）および両腕（６）は元の状態に戻る。以上の動作を繰り返すことにより、音楽に合わせてリズム遊びを楽しんだり、お年寄りやリハビリ時の手指の運動を楽しくしたりするものである。【０００７】  以下本発明の第二の実施の形態を説明する
前記本発明の第一の実施形態と主に異なる点は、動作伝達手段としてラックギア（３）とギア（４）の代わりに、下半身（２）に設けられた突起（９）と両腕を戻すためのトーションバネ（１０）を用いている点である。頭部（８）を押すと上半身（１）はバネ（７）を圧縮しながら下半身（２）の外側を下方に移動する。この時下半身に設けられた突起（９）が両腕（６）の付け根に当たり、腕取り付け軸（１１）を中心に両腕（６）が回動する。手を離すとバネ（７）及びトーションバネ（１０）の反発力により両腕及び上半身は元の位置に復帰する。【０００８】  以下本発明の第三の実施の形態を説明する。
前記本発明の第一の実施形態と主に異なる点は、動作伝達手段としてラックギア（３）とギア（４）の代わりに、下半身（２）にピン（１２）を、両腕（６）には長穴（１３）を設けている点である。頭部（８）を押すと上半身（１）はバネ（７）を圧縮しながら下半身（２）の外側を下方に移動する。この時下半身に設けられたピン（１２）が両腕（６）に設けられた長穴の中を摺動し、腕取り付け軸（１１）を中心に両腕（６）が回動する。手を離すとバネ（７）の反発力により上半身（１）及び両腕（６）は元の位置に復帰する。
【図面の簡単な説明】
【０００９】
【図１】本発明の斜視図
【図２】本発明の分解斜視図
【図３】本発明の第二の実施形態の分解斜視図
【図４】本発明の第三の実施形態の分解斜視図
【図５】本発明の使用状態を示す斜視図
【図６】本発明の使用状態を示す斜視図
【図７】本発明の使用状態を示す斜視図
【符号の説明】
【００１０】    １  上半身
２  下半身
３  ラックギア
４  ギア
５  軸
６  両腕
７  バネ
８  頭部
９  突起
１０  トーションバネ
１１  腕取り付け軸
１２  ピン
１３  長穴
【図１】
2008086732.tif 000003
【図２】
2008086732.tif 000004
【図３】
2008086732.tif 000005
【図４】
2008086732.tif 000006
【図５】
2008086732.tif 000007
【図６】
2008086732.tif 000008
【図７】
2008086732.tif 000009
(57)【要約】      （修正有）【課題】此の発明は電気ポットの熱湯の飛沫等での火傷を防ぐ湯注ぎ調節台を提供する。【解決手段】磁石入のアームを電気ポットの胴部に抱きつかせ、上、下にスライドさせる事によって自由に湯口との高さを調節出来る。【選択図】図１
2008086739.tif 000002
【特許請求の範囲】
【請求項１】
帯状のプラスチックアームに粒状の磁石を埋め込み、器、受台と１本化して、電機ポットの外側に吸着させ上、下にスライドさせる事に依って湯口からの高さを自由に調節出来る。
【発明の詳細な説明】
【技術分野】
【０００１】此の発明は電気ポットの湯を注ぐ時の湯口と、茶碗等の高さを自由に調節するものである。
【背景技術】
【０００２】電気ポットの湯を注ぐ時高い所からでも湯口の下に茶碗等を置いて注ぐか、片手で茶碗等を湯口迄持って行って注いでゐた。
【発明の開示】
発明の解決しようとした課題
【０００３】そのために次の問題が生じた
（イ）電気ポットの湯口の高いものは茶碗の置く場所によって熱湯がこぼれたり手や顔等に飛散し火傷する又台等がない場合、片手に茶碗を持って注ぐため、同時に両手が必要である。
本発明は以上の問題点を解決したものである。
【課題を解決するための手段】
【０００４】アーム状のものに磁気を付け磁力を利用し置き台と１体化し電気ポットに吸着させる。
以上の構成からなる電気ポット高さ調節台である。
【発明の効果】
【０００５】したがって電気ポットの高さ大きさに関係なく湯口に近づける事によって熱湯の飛沫もなく火傷の恐れもなく尚片手で操作出来小供、老人にも安心して注げる。
発明を実施するための最良の形態
【０００６】以下本発明の実施の形態について説明する
（イ）プラスチック磁石入アーム
（ロ）容器置き台
本発明は以上の構成からなる電気ポット高さ調節台である。
使用法について説明する
電気ポットの胴体部に（イ）アームを巻きつけて適当な高さで（ロ）折りたゝみ台を倒し台の上に茶碗等を置いて使用する。
【図面の簡単な説明】
【０００７】
【図１】本発明の斜視図
【図２】本発明の原理説明図
【図３】本発明の使用説明図
【符号の説明】
【０００８】（１）アーム
（２）置き台
【図１】
2008086739.tif 000003
【図２】
2008086739.tif 000004
【図３】
2008086739.tif 000005
(57)【要約】【課題】  住宅のコンロ上で天ぷら鍋が加熱オーバで発火しても、人手の消火行動によらなくとも、自動的に火災を防止消火する、天ぷら火災防止鍋を提供する。【解決手段】  鍋と蓋を安全な連結構造に設け、万一鍋が発火すると、蓋が安全に速みやかに閉まり、空気酸素を遮断、消火するよう単純な仕掛けの輪ゴムで蓋を、セットし住宅火災を防止することを目的に構成した特徴のある、簡単で安全な家庭用の、天ぷら火災防止鍋。【選択図】図４
2008086740.tif 000002
【特許請求の範囲】
【請求項１】
家庭のコンロの上で天ぷらを揚げる、鍋と蓋を安全な連結構造に設け、加熱オーバによる発火火災を空気遮断方式で自動的に安全に消火することを特徴とする、天ぷら火災防止鍋。
【発明の詳細な説明】
【技術分野】
【０００１】  本発明は、建物住宅火災で最も数多い、コンロ上の天ぷら火災を防止するために、加熱オーバによる発火時に、人手によらず鍋の蓋が安全に閉まり、空気酸素を遮断し消火する、天ぷら火災防止鍋に関するものである。
【背景技術】
【０００２】  従来は加熱オーバによる発火を、自動消火する構造の天ぷら鍋がなく発火に慌て動転し誤った消火方による住宅火災と事故が多発していた。日頃注意深い人でも急を要す出来事で、不意に場を離れた一寸の油断が原因の、コンロ火災を安全に防止する、軽便な天ぷら火災防止鍋がなかった。
【発明の開示】
【発明が解決しようとする課題】
【０００３】  そのため次のような問題点があった。
家庭で愛妻料理の揚げたての天ぷらを食卓で楽しみたくとも、火災の心配不安の理由からも、スーパーなどの揚げ物を買う回数が多く成って、日本の食文化、伝統料理の天ぷらを、主婦が家庭で揚げる者が減ったのである。
本発明は以上の問題点を解決しようとするものである。
【課題を解決するための手段】
【０００４】  鍋に蓋をしては天ぷらを揚げられなかったものを、安全な連結構造に設け、単純な仕掛けの輪ゴムのセットで、発火すると火熱で輪ゴムが融け蓋が安全に閉まり空気酸素を遮断消火、密封状態の内部圧力は、輪ゴム通し穴兼消火時圧力抜き（７）から放出されて爆発、発火の心配がない。
以上を特徴とする、天ぷら火災防止鍋である。
【発明の効果】
【０００５】  万一の加熱オーバによる発火の恐怖心がある主婦は、天ぷらを高温でカラット良く揚げられなかった心配性の多くの人が、鍋と蓋が安全な連結構造で、万一不意にその場を離れた時に発火しても、自動消火する安心感から、若い主婦も家庭料理を、好んで楽しむようになる。
【発明を実施するための形態】
【０００６】  以下本発明の実施の形態について説明する。
（イ）天ぷら鍋（１）と安全鍋蓋（２）を変形蝶番（９）の金具で連結止めにする。
（ロ）安全鍋蓋吊り手（３）は輪ゴム掛けＡ（６）を設け、天ぷら鍋（１）の両側面に止め金具（４）を設けて、かしめボルト（４）−２で接続する。
（ハ）安全鍋蓋（２）に、輪ゴム通し穴兼、消火時圧力抜き（７）を設ける。
（ニ）安全鍋蓋（２）の裏面に、輪ゴム掛けＢ（６）−２を設ける。
表面に、鍋蓋取っ手（５）を設ける。
本発明は以上のような構成から成り、使用する時は、
天ぷら鍋（１）に、天ぷら油を適量入れ、安全鍋蓋（２）を５０度〜６０度位の角度に持ち上げ、輪ゴム掛けＡ（６）と輪ゴム掛けＢ（６）−２を輪ゴムで掛け合わせつるす。万一加熱オーバで発火すると、火熱には弱い輪ゴムが溶けて速やかに安全鍋蓋が鍋に納まり、空気酸素を遮断消火するので、発火に気づいても慌てて消火行動することもなく安全に消火するので危険が伴わない。密封状態の内部圧力は、輪ゴム通し穴兼消火時圧力抜き（７）から放出されるので爆発発火の心配はない。
コンロの火を消して油熱温度が下がるまで鍋蓋を開けないこと。
【図面の簡単な説明】
【０００７】
【図１】  本発明の斜視図
【図２】  本発明の平面図
【図３】  本発明の側面図
【図４】  本発明の展開を示す斜視図
【図５】  本発明の安全鍋蓋の裏側を示す斜視図
【図６】  本発明の下方部を示す斜視図
【図７】  本発明の分離品を示す斜視図
【図８】  本発明の分離品を示す斜視図
【図９】  本発明の分離品を示す斜視図
【図１０】  本発明の分離品を示す斜視図
【図１１】  本発明の分離品を示す斜視図
【図１２】  本発明の分離品を示す斜視図
【図１３】  本発明の分離品を示す斜視図
【符号の説明】
【０００８】  １  天ぷら鍋
２  安全鍋蓋
３  安全鍋蓋吊り手
４  止め金具          ４−２  かしめボルト
５  鍋蓋取っ手
６  輪ゴム掛けＡ      ６−２  輪ゴム掛けＢ
７  輪ゴム通し穴兼消火時圧力抜き
８  変形蝶番
【図１】
2008086740.tif 000003
【図２】
2008086740.tif 000004
【図３】
2008086740.tif 000005
【図４】
2008086740.tif 000006
【図５】
2008086740.tif 000007
【図６】
2008086740.tif 000008
【図７】
2008086740.tif 000009
【図８】
2008086740.tif 000010
【図９】
2008086740.tif 000011
【図１０】
2008086740.tif 000012
【図１１】
2008086740.tif 000013
【図１２】
2008086740.tif 000014
【図１３】
2008086740.tif 000015
(57)【要約】【課題】手から転がり放しても再び手元まで転がり戻る玩具を提供すること。【解決手段】紙や樹脂などの軽量で丈夫な材料でできた空洞な円柱内側の両底面の中心間にゴムを張り該ゴムの中央に錘を空転しないように吊り下げ固定する。円柱を手から転がり放したとき、円柱と内部に張られたゴムは同一に回転するが、ゴムに固定された錘は重力により鉛直下向きの力を受けているので回転しないため、錘の左右のゴムに円柱が転がり回転した回転数分だけねじれが生じ、該ねじれの復元力と慣性により確実に手元まで転がり戻る。【選択図】図１
2008086716.tif 000002
【特許請求の範囲】
【請求項１】
空洞な円柱形内側の両底面の中心の空転しない固定具に固定し、または該固定具に引っ掛けるように固定して張られた少なくとも１本以上のゴムと、該ゴムの中央、または中央近傍に少なくとも１個以上の錘が、該錘の重量の中心が円柱形両底面の中心を結ぶ中心線から離れるように固定され、または吊り下げられるように固定され、円柱形を手から転がし放しても、錘は重力により鉛直下向きの力を受け回転しないため、錘の両側のゴムにねじれが生じ、該ねじれの復元力により手元まで転がり戻ることを特徴とする玩具。
【請求項２】
空洞な円柱形内側の一方の底面中心の空転しない固定具に固定され、または該固定具に引っ掛けるように固定され、他方の底面中心の空転する固定具に固定され、または該固定具に引っ掛けるように固定された少なくとも１本以上のゴムと、空転する固定具、または空転する固定具近傍のゴムに少なくとも１個以上の錘が、該錘の重量の中心が円柱形両底面の中心を結ぶ中心線から離れるように固定され、または吊り下げられるように固定され、円柱形を手から転がし放しても、錘は重力により鉛直下向きの力を受け回転しないため、両固定具間のゴム、または空転しない固定具と錘との間のゴムにねじれが生じ、該ねじれの復元力により手元まで転がり戻ることを特徴とする玩具
【発明の詳細な説明】
【技術分野】
【０００１】ゴムのねじれの復元力を利用した、手から転がし放しても再び手元まで転がり戻る玩具に関するものである。
【背景技術】
【０００２】モーターなどの駆動力を必要とせず、一度手から放れても再び手元へ戻ってくる玩具としてはブーメランがあり、再び手元に戻ってくるという味わいは老若男女を問わず興味があるが、遊戯に際しては広い空間を必要とし、且つ手元に戻ったときの保守に際しては危険を伴う場合があった。【０００３】室内用の紙や樹脂で作られた小型のブーメランもあるが、室内の家具や照明器具に衝突し危険を伴う場合があった。【０００４】さらに上手にブーメランを飛ばすには習熟が必要であった。
【発明の開示】
【発明が解決しようとする課題】
【０００５】誰でも容易にテーブル面や床面などの狭い範囲を利用し安全で習熟の必要が無く、手から転がり放しても再び手元まで転がり戻ってくる玩具を提供することである。
【課題を解決するための手段】
【０００６】紙や樹脂などの軽量で丈夫な材料でできた空洞な円柱内部の両底面の中心間にゴムを固定して張り、該ゴムの中央に錘を吊り下げるように固定する。円柱を横倒しにした状態で手から転がし放したとき円柱形と内部に張られたゴムは同一に回転するが、ゴムに固定された錘は重力により鉛直下向きの力を受けているので回転しないため、錘の左右のゴムに円柱が転がった回転数分のねじれが生じ、該ねじれの復元力と、該復元力が転がり戻った手元近傍でほぼゼロになった後の慣性により手元まで転がり戻る。
【実施例１】
【０００７】図１は請求項１の見取り図であり、紙や樹脂などの軽量で丈夫な材料でできた円柱１の両底面２ａと２ｂの中心に、ゴム３を空転しないように固定させる、空転しない固定具４ａを設ける。【０００８】両底面の空転しない固定具４ａ間にゴム３を張る。【０００９】ゴム３の中央に錘５を空転しないように吊り下げ固定する。
【実施例２】
【００１０】図２は請求項２の見取り図であり、紙や樹脂などの軽量で丈夫な材料でできた円柱１の一方の底面２ａの中心に、空転しない固定具４ａを設ける。【００１１】他方の底面２ｂの中心に、ベアリング等を利用した空転可能な固定具４ｂを設ける。【００１２】空転しない固定具４ａと空転可能な固定具４ｂとの間にゴム３を張る。【００１３】空転可能な固定具４ｂに錘５を吊り下げ固定する。
【図面の簡単な説明】
【００１４】
【図１】実施例１の見取り図
【図２】実施例２の見取り図
【符号の説明】
【００１５】            １    円柱
２ａ  円柱の底面
２ｂ  円柱の底面
３    ゴム
４ａ  空転しない固定具
４ｂ  空転可能な固定具
５    錘
【図１】
2008086716.tif 000003
【図２】
2008086716.tif 000004
(57)【要約】【課題】  洗浄槽内を真空にするために、常圧戻し弁の精度が要求され、又、何度も使用するとパッキンが劣化するという問題があった。  【解決手段】  １はハウジング、２は洗浄槽、３はパッキン、４は把手、５は蓋、６は超音波振動子、７は制御回路、８は排気管、９は電磁弁、１０は真空ポンプ、１１は洗浄液で、これらの構成は上記従来例と同じであるので説明は省略するが、本実施例では、洗浄槽２に接続した接続管１３に接続した電磁弁１４に排気管１５を接続し、又、ハウジング１の前面に常圧戻しスイッチ１６を設け、この常圧戻しスイッチ１６の動作を制御回路７で検出して、制御回路７から駆動信号で電磁弁１４を駆動するように構成する。【選択図】図１
2008086899.tif 000002
【特許請求の範囲】
【請求項１】
ハウジングの上部に装着され、密閉する蓋を設けた洗浄槽と、該洗浄槽を真空にするために、前記洗浄槽に接続された接続管に空気を引き抜く排気管と空気を入れる吸入管とを接続した電磁弁と、該電磁弁に接続した前記排気管に接続された真空ポンプと、前記ハウジングの前面に装着された前記電磁弁を切り替えるスイッチと、該スイッチのオン−オフによって、前記電磁弁に切り替え信号を出力する制御回路とからなることを特徴とする超音波洗浄装置。
【発明の詳細な説明】
【技術分野】
【０００１】
本発明は、洗浄槽内を真空にして洗浄するようにした超音波洗浄装置に関するものである。
【背景技術】
【０００２】
従来、洗浄槽内を真空にして洗浄するようにした超音波洗浄装置は、図２に示すように、ハウジング１の上部に洗浄槽２が装着され、洗浄槽２内を密閉するために、洗浄槽２の上端にパッキン３を介して把手４を持った蓋５が設けられ、洗浄槽２の底面に超音波振動子６が装着され、この超音波振動子６に制御回路７に内蔵された発振回路から発振出力が印可され、又、洗浄槽２の上部に空気を排気する排気管８が接続され、排気管８に電磁弁９を介して真空ポンプ１０が接続され、電磁弁９及び真空ポンプ１０に制御回路７から電力が供給されている。
【０００３】
この従来の超音波洗浄装置では、洗浄槽２内に洗浄液１１及び被洗浄物を入れ、制御回路７からの電力で真空ポンプ１０を駆動し、電磁弁９で排気管８を開き、予め決められた真空状態になったときに、制御回路７からの発振出力を超音波振動子６に印可すると、超音波振動子６から超音波が洗浄槽２内に照射されることにより洗浄槽２内の被洗浄物が洗浄される。
【０００４】
この超音波洗浄装置では、洗浄が終わったときに洗浄槽２の蓋５を開くには、蓋５に下側の弁１２ａがバネ１２ｂで上方に引っ張られ、下側の弁１２ａと蓋５の間にパッキン１２ｃを設け、下側の弁１２ａと一体となった押圧弁１２ｃからなる常圧戻し弁１２が装着され、常圧戻し弁１２の押圧弁１２ｃを押すことにより、洗浄槽２内の空気を入れることにより蓋５を開けて被洗浄物をとりだすことができる。
【０００５】
しかしながら、このように構成された従来の超音波洗浄装置では、真空を保持したり、真空を戻したりするために、機械式の常圧戻し弁１２が使用されているが、このような常圧戻し弁１２では、パッキン１２ｃが劣化するという問題があり、又、洗浄槽２内の真空漏れを防ぐために、精度が要求されるという問題があった。
【特許文献１】特開平
【発明の開示】
【発明が解決しようとする課題】
【０００６】
解決しようとする問題点は、洗浄槽内を真空にするために、常圧戻し弁の精度が要求され、又、何度も使用するとパッキンが劣化するという問題があった。
【課題を解決するための手段】
【０００７】
本発明では、洗浄槽はハウジングの上部に装着され、密閉する蓋が設けられ、電磁弁は洗浄槽を真空にするために、洗浄槽に接続された接続管に空気を引き抜く排気管と空気を入れる吸入管とが接続され、真空ポンプは電磁弁に接続した排気管に接続され、電磁弁を切り替えるスイッチはハウジングの前面に装着され、制御回路はスイッチのオン−オフによって、電磁弁に切り替え信号を出力するものである。
【発明の効果】
【０００８】
本発明の超音波洗浄装置では、ハウジングの前面に装着されたスイッチによって電磁弁を切り替えることにより、洗浄槽内の真空を解除するようにしたので、電磁弁は劣化する部分がなく、又、常圧戻し弁のように、真空を解除するときに解除する力を必要としないという利点がある。
【発明を実施するための最良の形態】
【０００９】
本発明では、ハウジングの前面に常圧戻しスイッチを設け、又、電磁弁に排気管を設けたので、簡単に洗浄槽の真空を解除することができた。
【実施例】
【００１０】
図１は本発明の実施例の超音波洗浄装置の側面断面図で、１はハウジング、２は洗浄槽、３はパッキン、４は把手、５は蓋、６は超音波振動子、７は制御回路、１０は真空ポンプ、１１は洗浄液で、これらの構成は上記従来例と同じであるので説明は省略するが、本実施例では、洗浄槽２に接続した接続管１３に電磁弁１４を接続し、電磁弁１４に排気管１５を接続し、又、ハウジング１の前面に常圧戻しスイッチ１６を設け、この常圧戻しスイッチ１６の動作を制御回路７で検出して、制御回路７から駆動信号で電磁弁１４を駆動するように構成する。
【００１１】
このように構成された本実施例の超音波洗浄装置では、洗浄槽２内に洗浄液１１とともに被洗浄物を入れ、常圧戻しスイッチ１６をオフにすると、真空ポンプ１０が駆動され、洗浄槽２内の空気を吸引して洗浄槽２内を真空にし、そこで、超音波振動子６を駆動すると、被洗浄物は超音波振動子６からの超音波によって洗浄され、予め決められた時間が経過後に洗浄が終了すると、常圧戻しスイッチ１６を押すことによって、制御回路７はこの動作を検出し、制御回路７から電磁弁１４に駆動信号を出力し、電磁弁１４を切り替えて、洗浄槽２に接続された接続管１３を排気管１５に接続して、洗浄槽２内の空気を排出し、常圧に戻すことにより、洗浄槽２の蓋５を開き、被洗浄物をとりだすことができる。
【００１２】
本発明は、このように常圧戻しスイッチ１６を押すことにより、簡単な回路で洗浄槽２内を常圧にすることができるので、耐久性が長くなり、又、従来の常圧戻し弁のように、押した状態によって洗浄槽内の真空圧が異なることがなく、均一性が得られるという利点がある。
【産業上の利用可能性】
【００１３】
なお、本発明の小型洗浄機は、ピペットなどの細管の洗浄や目くら孔の洗浄又は加工油で張り付いた部品の洗浄に使用することができる。
【図面の簡単な説明】
【００１４】
【図１】本発明の実施例の超音波洗浄装置の側面断面図である。
【図２】従来の超音波洗浄装置の側面断面図である。
【符号の説明】
【００１５】
１                ハウジング
２                洗浄槽
３                パッキン
４                把手
５                蓋
６                超音波振動子
７                制御回路
１０              真空ポンプ
１１              洗浄液
１３              接続管
１４              排気管
１６              常圧戻しスイッチ  
【図１】
2008086899.tif 000003
【図２】
2008086899.tif 000004